(57)【要約】【課題】不審者侵入の警報が生じた場合に、この警報が正しいのか誤っているのか確認することが可能な住宅監視システムを提供する。【解決手段】センサ制御部１０３は、在／不在スイッチ１０２の設定が「在」の場合には、移動体センサ１０１の検出結果に基づいて住人の安否を判定し、この判定結果を主制御装置２００に通知する。また、在／不在スイッチ１０２が「不在」に設定される場合に、センサ制御部１０３は移動体センサ１０１が動きのあるものを検出すると、この旨を主制御装置２００に通知するとともに、カメラ付携帯電話機１０４を制御して、住宅内を撮影し、この撮影データを外出中の住人が所持するカメラ付携帯電話機１０５や、管理人が所持するカメラ付携帯電話機２０４に送信するようにしたものである。【選択図】    図１
2005011221.tif 000002
【特許請求の範囲】
【請求項１】
住宅内を撮影する撮影手段と、
データ通信を行う通信手段と、
住人の在宅／不在宅を設定する在宅設定手段と、
前記住宅内で動きのあるものを検出する検出手段と、
前記在宅設定手段で在宅の設定がなされ、かつ前記検出手段が所定時間内に動きのあるものを検出しない場合に、住人の異常を報知する住人異常報知手段と、
前記在宅設定手段で不在宅の設定がなされ、かつ前記検出手段が動きのあるものを検出した場合に、前記通信手段を制御して、前記撮影手段によって得られた画像データを所定の通信相手に送信する送信制御手段とを具備することを特徴とする住宅監視システム。
【請求項２】
住宅内を撮影可能な撮影手段を備え、この撮像手段によって得た画像データを無線送信可能な移動無線端末装置を接続する接続手段と、
住人の在宅／不在宅を設定する在宅設定手段と、
前記住宅内で動きのあるものを検出する検出手段と、
前記在宅設定手段で在宅の設定がなされ、かつ前記検出手段が所定時間内に動きのあるものを検出しない場合に、住人の異常を報知する住人異常報知手段と、
前記在宅設定手段で不在宅の設定がなされ、かつ前記検出手段が動きのあるものを検出した場合に、前記接続手段を通じて移動無線端末装置を制御して、前記撮影手段によって得られた画像データを所定の通信相手に送信させる送信制御手段とを具備することを特徴とする住宅監視システム。
【請求項３】
さらに、前記在宅設定手段で不在宅の設定がなされ、かつ前記検出手段が動きのあるものを検出した場合に、不審者の侵入を報知する不審者侵入報知手段を備えることを特徴とする請求項１または請求項２に記載の住宅監視システム。
【請求項４】
前記在宅設定手段は、住宅の解錠／施錠と連動し、解錠時には在宅の設定を行い、一方、施錠時には不在宅の設定を行うことを特徴とする請求項１乃至請求項３のいずれかに記載の住宅監視システム。
【発明の詳細な説明】
【０００１】
【発明の属する技術分野】
この発明は、例えば集合住宅等に設置され、高齢者等の住人に生じうる異常を検出する住宅監視システムに関する。
【０００２】
【従来の技術】
周知のように、従来の住宅監視システムは、高齢者が居住する集合住宅に移動体センサを設置しておき、住人の動きが所定時間以上検出できない場合に、住人に異常が生じた可能性があるものとして検出し、管理センタに常駐する管理者が対応するようになっていた。また住人は外出する際には、在／不在スイッチを「不在」に設定し、これにより管理センタに誤警報が生じないようにしていた（例えば、特許文献１参照）。
【０００３】
しかしながら、上記構成による従来の住宅監視システムでは、在／不在スイッチを「不在」に設定した後に、移動体センサが誤動作したり、同居人やペットなどの動きのあるものを検出すると、管理センタに誤警報が生じてしまうという問題があった。このように、「不在」にもかかわらず、移動体センサが動きのあるものを検出した場合、それが不審者の侵入なのか誤警報なのか管理センタは把握することができないという問題があった。
【０００４】
【特許文献１】
特開平５−２５０５７６公報（第２−３頁、図１）。
【０００５】
【発明が解決しようとする課題】
従来の住宅監視システムでは、住人の不在時に不審者侵入の警報が生じても、移動体センサの誤動作や、同居人やペットなどの動きを検出してしまった場合などがあり、警報が正しいのか誤っているのか確認することができないという問題があった。
この発明は上記の問題を解決すべくなされたもので、不審者侵入の警報が生じた場合に、この警報が正しいのか誤っているのか確認することが可能な住宅監視システムを提供することを目的とする。
【０００６】
【課題を解決するための手段】
上記の目的を達成するために、請求項１に係わる本発明は、住宅内を撮影する撮影手段と、データ通信を行う通信手段と、住人の在宅／不在宅を設定する在宅設定手段と、住宅内で動きのあるものを検出する検出手段と、在宅設定手段で在宅の設定がなされ、かつ検出手段が所定時間内に動きのあるものを検出しない場合に、住人の異常を報知する住人異常報知手段と、在宅設定手段で不在宅の設定がなされ、かつ検出手段が動きのあるものを検出した場合に、通信手段を制御して、撮影手段によって得られた画像データを所定の通信相手に送信する送信制御手段とを具備して構成するようにした。
【０００７】
上記構成の住宅監視システムでは、在宅の設定がなされ、かつ所定時間内に住宅内で何らの動きのあるものを検出しない場合に、住人の異常が発生したものとして報知を行い、また不在宅の設定がなされ、かつ住宅内で何らかの動きのあるものを検出した場合に、通信手段を制御して撮影手段によって得られた画像データを所定の通信相手に送信するようにしている。
【０００８】
したがって、上記構成の住宅監視システムによれば、不在宅の設定がなされ、かつ住宅内で何らかの動きのあるものを検出したような不審者が侵入の可能性がある場合に、住人や管理人が所持する画像再生可能な機器に住宅内の画像を送信することができるので、住人や管理人が不審者の侵入の真否を確認することができる。
【０００９】
また請求項２に係わる本発明は、住宅内を撮影可能な撮影手段を備え、この撮像手段によって得た画像データを無線送信可能な移動無線端末装置を接続する接続手段と、住人の在宅／不在宅を設定する在宅設定手段と、住宅内で動きのあるものを検出する検出手段と、在宅設定手段で在宅の設定がなされ、かつ検出手段が所定時間内に動きのあるものを検出しない場合に、住人の異常を報知する住人異常報知手段と、在宅設定手段で不在宅の設定がなされ、かつ検出手段が動きのあるものを検出した場合に、接続手段を通じて移動無線端末装置を制御して、撮影手段によって得られた画像データを所定の通信相手に送信させる送信制御手段とを具備して構成するようにした。
【００１０】
上記構成の住宅監視システムでは、在宅の設定がなされ、かつ所定時間内に住宅内で何らの動きのあるものを検出しない場合に、住人の異常が発生したものとして報知を行い、また不在宅の設定がなされ、かつ住宅内で何らかの動きのあるものを検出した場合に、撮影手段付きの移動無線端末装置を制御して、撮影手段によって得られた画像データを所定の通信相手に送信するようにしている。
【００１１】
したがって、上記構成の住宅監視システムによれば、不在宅の設定がなされ、かつ住宅内で何らかの動きのあるものを検出したような不審者が侵入の可能性がある場合に、住人や管理人が所持する画像再生可能な機器に住宅内の画像を送信することができるので、住人や管理人が不審者の侵入の真否を確認することができる。
【００１２】
【発明の実施の形態】
以下、図面を参照して、この発明の一実施形態について説明する。
図１は、この発明の一実施形態に係わる住宅監視システムの構成を示すものである。ここでは、集合住宅ＡＭに適用した場合を例に挙げて説明するが、複数の戸建て住宅に適用することも可能である。
【００１３】
この住宅監視システムは、各住宅に設置される戸別装置１１〜１ｎと、管理人室に設置される主制御装置２００とを備え、戸別装置１１〜１ｎは専用の回線により主制御装置２００に収容されている。
【００１４】
戸別装置１１〜１ｎは、それぞれ移動体センサ１０１と、在／不在スイッチ１０２と、センサ制御部１０３と、インターフェイス１０３ａと、カメラ付携帯電話機１０４とを備える。
【００１５】
移動体センサ１０１は、各住宅内で、人間が放つ赤外線を検出して住人の動きを検出するもので、この検出によって得た「動き」のある／なしの情報をセンサ制御部１０３に通知する。必要に応じて、１つの住宅内に複数設置してもよい。
【００１６】
在／不在スイッチ１０２は、住宅の解錠／施錠と連動して動作し、切替えられるスイッチで、在宅（解錠）時には「在」に、外出（施錠）時には「不在」に設定され、この設定はセンサ制御部１０３に通知される。
【００１７】
センサ制御部１０３は、時刻を計時する機能を備えており、予め設定された時間が経過したり、あるいは在／不在スイッチ１０２の設定が変更されると、後述する安否判定処理にしたがって、移動体センサ１０１の検出結果と在／不在スイッチ１０２の設定に基づいて住人の安否を判定し、この判定結果を主制御装置２００に通知する。なお、移動体センサ１０１の検出結果や、在／不在スイッチ１０２の設定については、逐次主制御装置２００に通知する。
【００１８】
カメラ付携帯電話機１０４は、ディジタルカメラを備えた携帯電話機であって、移動通信システムの移動通信網を通じて音声通話ならびに画像データの送受信が可能である。そして、カメラ付携帯電話機１０４は、住宅内を撮影可能なように設置され、インターフェイス１０３ａを通じたセンサ制御部１０３の制御により、上記ディジタルカメラによる撮影や、撮影した画像データの送信制御が行われる。
なお、住人は、カメラ付携帯電話機１０４と同様の構成からなるカメラ付携帯電話機１０５を所持して外出する。
【００１９】
図２は、カメラ付携帯電話機１０４の構成を示すもので、基地局ＢＳとの間で、ＣＤＭＡ（Ｃｏｄｅ  Ｄｉｖｉｓｉｏｎ  Ｍｕｌｔｉｐｌｅ  Ａｃｃｅｓｓ）方式によって無線通信を行うものを例に挙げている。
【００２０】
基地局ＢＳから送信され、アンテナ４０１で受信された無線周波信号は、アンテナ共用器４０２に入力される。アンテナ共用器４０２は、受信用フィルタ４０２ａと送信用フィルタ４０２ｂとからなる。
【００２１】
アンテナ４０１より入力された無線周波信号のうち、基地局ＢＳから送信された無線周波信号は、受信用フィルタ４０２ａを通過して、受信部（ＲＸ）４０３に出力される。なお、この無線周波信号は送信用フィルタ４０２ｂにより、後述の送信部４０５に入力されることはない。
【００２２】
受信部４０３では、上記無線周波信号を周波数シンセサイザ（ＳＹＮ）４０４から入力された受信局部発振信号とミキシングして中間周波信号に周波数変換する。なお、上記周波数シンセサイザ４０４にて発生される受信局部発振信号の周波数は、制御部３００からの制御信号によって制御される。
【００２３】
受信部４０３にて得られた中間周波信号は、ＣＤＭＡ信号処理部４０６において、直交復調処理が施されたのち、逆拡散処理が施されて、データレートに応じた所定のフォーマットの受信データに変換され、この受信データのうち、データレートを示すデータと、音声通話のための音声データ以外のデータ（電子メールのデータや、動画像データ）については制御部３００に出力され、上記音声データについては音声符号処理部４０７に出力される。
【００２４】
またＣＤＭＡ信号処理部４０６は、上記受信データから、当該カメラ付携帯電話機１０４宛ての着信（音声通信や電子メール受信）の発生、および着信時に基地局ＢＳから通知される発信元の電話番号を検出し、これらの検出結果と、データレートを示すデータを制御部３００に通知する。
【００２５】
音声符号処理部４０７は、上記ＣＤＭＡ信号処理部４０６にて得られた受信データに対して、制御部３００から通知される受信データレートに応じた伸長処理を施し、この処理結果をＰＣＭ符号処理部４０８に出力する。
【００２６】
ＰＣＭ符号処理部４０８は、音声符号処理部４０７にて伸張された受信データを復号してアナログ受話信号を得る。このようにして、復号されたアナログ受話信号は、増幅器４０９にて増幅された後スピーカ４１０より拡声出力される。
【００２７】
また、ＰＣＭ符号処理部４０８は、画像処理部４５０から音声データが入力される場合には、これを復号してアナログ音声信号を得る。このようにして、復号されたアナログ音声信号は、増幅器４１３にて増幅された後スピーカ４１４より拡声出力される。
なお、増幅器４０９および増幅器４１３の増幅のレベルは、制御部３００によって制御される。
【００２８】
一方、話者の入力音声は、マイクロホン（Ｍ）４１１を通じてアナログ送話信号として入力され、増幅器４１２で適正レベルまで増幅された後、ＰＣＭ符号処理部４０８にてＰＣＭ符号化処理が施され、送信データとして音声符号処理部４０７に出力される。
【００２９】
音声符号処理部４０７は、ＰＣＭ符号処理部４０８から出力される送信データより入力音声のエネルギー量を検出し、この検出結果に基づいてデータレートを決定し、制御部３００に通知する。そして、上記送信データを上記データレートに応じたフォーマットのバースト信号に圧縮し、ＣＤＭＡ信号処理部４０６に出力する。
【００３０】
ＣＤＭＡ信号処理部４０６は、上記音声符号処理部４０７にて圧縮されたバースト信号、あるいは制御部３００より入力される送信電子メールや動画像のデータに対して、送信チャネルに応じたＰＮ符号を用いて拡散処理を施す。そしてこの処理結果に対して、直交変調処理を施し、直交変調信号として送信部（ＴＸ）４０５に出力する。
【００３１】
なお、制御部３００から、例えば着信に対して応答するなどの指示があった場合には、ＣＤＭＡ信号処理部４０６は、対応する制御データを上記拡散処理結果に付加して直交変調処理を実施する。
【００３２】
送信部４０５は、上記直交変調信号を送信局部発振信号と合成して無線周波信号に変換し、制御部３００により通知される送信データレートに基づいて、上記無線周波信号の有効部分だけを高周波増幅して、アンテナ共用器４０２に出力する。なお上記送信局部発振信号は、周波数シンセサイザ４０４にて生成されるもので、制御部３００からの制御信号に応じた周波数の発振信号である。
【００３３】
アンテナ共用器４０２に入力された送信部４０５からの無線周波信号は、送信用フィルタ４０２ｂにより、送信帯域の無線周波信号のみがアンテナ４０１に出力されて、上記基地局ＢＳに向けて空間に放射される。尚、この送信帯域の無線周波信号は、受信用フィルタ４０２ａにより、受信部４０３に入力されることはない。
【００３４】
着信報知部４２０は、当該カメラ付携帯電話機１０４宛てに着信があった場合に、制御部３００の制御によりユーザに対して着信を報知するもので、可聴音を発して報知を行なう発音体４２１と、発光により報知を行なう発光体４２２と、例えば偏心モータなどにより振動を発生して報知を行なう振動体４２３とからなる。
【００３５】
カメラ４３０は、ＣＣＤ（Ｃｈａｒｇｅ−Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を撮像素子として採用する電子カメラで、撮像信号は画像処理部４５０に出力される。
【００３６】
記憶部４４０は、例えばＲＯＭやＲＡＭなどの半導体メモリを記憶媒体としたもので、この記憶媒体には、種々の制御データや、例えば名前と電話番号、電子メールアドレスなどを対応づけた電話帳データ、送信した電子メールおよび受信した電子メールのデータ、静止画像データ、動画像と音声からなる動画像データ、通話音声やメモ音声を録音した音声データ、文書データ、発信や着信の履歴を示す履歴データ、アプリケーションソフトウェアなどを記憶する。
【００３７】
画像処理部４５０は、例えばＭＰＥＧ（Ｍｏｖｉｎｇ  Ｐｉｃｔｕｒｅ  Ｅｘｐｅｒｔｓ  Ｇｒｏｕｐ）４などの画像データを復号するための専用の画像処理用ＩＣを搭載するもので、制御部３００によって動作制御され、制御部３００から入力される動画データに所定のデータ処理を施して画像データと音声データに変換し、画像データをドライバ４６０に出力するとともに、音声データをＰＣＭ符号処理部４０８に出力する。
また、画像処理部４５０は、カメラ４３０から入力される撮像信号に対して所定の符号化処理を施して画像データに変換し、これを制御部３００およびドライバ４６０に出力する。
【００３８】
ドライバ４６０は、画像処理部４５０より入力される画像データに基づいて、後述するユーザインターフェイス部４７０の表示部４７１を駆動制御して、表示／非表示の制御、静止画像や動画像の表示制御を行う。
【００３９】
またドライバ４６０は、制御部３００からの指示に応じて、着信に関する情報を画像処理部４５０より入力される画像データに基づく表示と合わせて表示部４７１に表示する制御を行う。
【００４０】
ユーザインターフェイス部４７０は、表示部４７１およびキー入力部４７２とからなる。表示部４７１は、例えばＬＣＤ（Ｌｉｑｕｉｄ  Ｃｒｙｓｔａｌ  Ｄｉｓｐｌａｙ）やＥＬ（Ｅｌｅｃｔｒｏ  Ｌｕｍｉｎｅｓｃｅｎｃｅ）などからなりユーザに対して自機の状態（発信／着信、バッテリ残量、受信強度）や記憶部４４０から読み出したダイヤルデータ、および動画像を含む種々の画像を視覚的に示すためのものである。
【００４１】
キー入力部４７２は、ダイヤル番号入力を行なうためのテンキーなど発着信に関わる通常の通話機能を実施するためのキーの他、着信報知方法（可聴音／発光／バイブレータ／報知なし）の切り換えや、動画像の再生設定などの各種設定、電話帳データの呼び出しなど、種々の機能を利用するためのキーを備えたものである。
【００４２】
制御部３００は、ＣＰＵ、ＲＯＭおよびＲＡＭなどを有してなるものであり、上記ＣＰＵが上記ＲＯＭに記憶される制御プログラムや制御データに従って、当該カメラ付携帯電話機１０４の各部を統括して制御するものである。
【００４３】
その主たる制御としては、受信部４０３、周波数シンセサイザ４０４、送信部４０５およびＣＤＭＡ信号処理部４０６を制御して、基地局ＢＳとの間にＣＤＭＡ方式の無線通信による通信リンクを開設し、基地局ＢＳが収容される移動通信網を通じた音声通信や、画像データや電子メールの送受信やインターネット通信などのデータ通信を行なう通信制御や、時計機能とタイマ機能、外部インターフェイス４８０を通じた外部からの指示により、画像データや電子メールの送受信を行う機能を備える。
【００４４】
外部インターフェイス４８０は、センサ制御部１０３のインターフェイス１０３ａに接続され、センサ制御部１０３から与えられる指示を制御部３００に通知する。
４９１は電源回路であり、バッテリ４９０の出力を基に所定の動作電源電圧Ｖｃｃを生成して各回路に供給する。
【００４５】
主制御装置２００は、各住宅の状況を表示する表示部２０１と、異常の発生を管理人に報知する警報部２０２と、戸別装置１１〜１ｎから通知される情報に基づいて、当該主制御装置２００の各部を統括して制御する制御部２０３と、管理人が所持し前述のカメラ付携帯電話機１０４から画像データを受信して表示可能なカメラ付携帯電話機２０４とを備える。なお、カメラ付携帯電話機２０４の構成は、カメラ付携帯電話機１０４および１０５と同様であることより説明を省略する。
【００４６】
次に、上記構成の住宅監視システムの動作について説明する。
図３を参照して、センサ制御部１０３の動作について説明する。図３は、各戸別装置１１〜１ｎのセンサ制御部１０３がそれぞれ実施する安否判定処理を示すフローチャートである。この安否判定処理は、予め設定した時刻が到来することで定期的に実施されたり、あるいは在／不在スイッチ１０２の設定が切り替えられると実施される。なお、主制御装置２００は、この処理に並行して制御部２０３が、戸別装置１１〜１ｎから通知される移動体センサ１０１の検出結果や在／不在スイッチ１０２の設定を表示部２０１に表示する。
【００４７】
まず、ステップ３ａにおいてセンサ制御部１０３は、在／不在スイッチ１０２の設定が「在」か「不在」かを判定する。ここで、「在」に設定されている場合にはステップ３ｂに移行し、一方、「不在」に設定されている場合にはステップ３ｆに移行する。
【００４８】
ステップ３ｂにおいてセンサ制御部１０３は、タイマＴ１を起動し計時を開始し、ステップ３ｃに移行する。なお、ここですでに、タイマＴ１が起動されて計時中の場合には、リセット動作を行い計時を再開する。
【００４９】
ステップ３ｃにおいてセンサ制御部１０３は、移動体センサ１０１の検出結果を参照し、住宅内で動きのあるものを検出したか否かを判定する。ここで、動きのあるものを検出した場合にはステップ３ｂに移行し、一方、動きのあるものを検出していない場合にはステップ３ｄに移行する。
【００５０】
ステップ３ｄにおいてセンサ制御部１０３は、ステップ３ｂにて起動したタイマＴ１の経過時間がｔ１以上か否かを判定する。ここで、経過時間がｔ１以上の場合には、ステップ３ｅに移行し、一方、経過時間がｔ１未満の場合には、ステップ３ｃに移行する。
【００５１】
ステップ３ｅにおいてセンサ制御部１０３は、例えば住人が倒れるなど、住人に異常が生じたものと見なして、主制御装置２００に対して住人異常の発生を通知し、当該処理を終了する。これに対して主制御装置２００では、制御部２０３が、センサ制御部１０３から上記通知を受けると、該当する住宅を示す識別情報に対応づけて、住人に異常が生じた旨を示す表示を表示部２０１に行うとともに、警報部２０２を動作制御して、音や光などにより管理人に対して住人に異常が生じた旨を報知する。
【００５２】
一方、ステップ３ｆにおいてセンサ制御部１０３は、移動体センサ１０１の検出結果を参照し、住宅内で動きのあるものを検出したか否かを判定する。ここで、動きのあるものを検出した場合にはステップ３ｇに移行し、一方、動きのあるものを検出していない場合には再びステップ３ｆに移行して動き検出を行う。
【００５３】
ステップ３ｇにおいてセンサ制御部１０３は、住宅内に不審者が侵入したものと見なして、主制御装置２００に対して不審者侵入の発生を通知し、ステップ３ｈに移行する。
【００５４】
ステップ３ｈにおいてセンサ制御部１０３は、インターフェイス１０３ａを通じてカメラ付携帯電話機１０４を制御して住宅内を撮影させ、これによって得た画像データをカメラ付携帯電話機１０５およびカメラ付携帯電話機２０４に送信させ、当該処理を終了する。これに対してカメラ付携帯電話機１０４では、制御部３００が画像処理部４５０を制御してカメラ４３０からの撮像信号を画像データに変換させ、この画像データを添付した電子メールを作成し、予め設定された電子メールアドレス（カメラ付携帯電話機１０５およびカメラ付携帯電話機２０４のアドレス）に上記電子メールを送信する。
【００５５】
以上のように、上記構成の住宅監視システムでは、施錠された不在設定時に住宅内で動きのあるものを検出すると、管理人に不審者侵入の可能性を報知した後、カメラ付携帯電話機１０４により住宅内を撮影し、この撮影データを外出中の住人が所持するカメラ付携帯電話機１０５や、管理人が所持するカメラ付携帯電話機２０４に送信するようにしている。
【００５６】
したがって、上記構成の住宅監視システムによれば、不審者侵入の警報が生じた場合に、住人や管理人が所持するカメラ付携帯電話機１０５、２０４で住宅内の画像を見ることができるので、外出中の住人は自宅に生じた異常をいち早く知ることができ、また不審者侵入の警報が正しいのか誤っているのか確認することができる。そしてまた住宅内に侵入した不審者の証拠写真を取得することができる。
【００５７】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５８】
その一例として例えば、センサ制御部１０３で行っていた処理を制御部２０３で行う構成にしてもよい。すなわち、上記実施の形態では、図３に示した安否判定処理は、各戸別装置１１〜１ｎのセンサ制御部１０３が実行するようにして、その判定結果を制御部２０３に通知したり、カメラ付携帯電話機１０４から画像の送信を行うようにした。
【００５９】
これに代わって例えば、戸別装置１１〜１ｎが移動体センサ１０１の検出結果や在／不在スイッチ１０２の設定を逐一制御部２０３に通知し、これらの情報に基づいて、上記安否判定処理を制御部２０３が実行するようにし、カメラ付携帯電話機１０４を制御して、住宅内の撮影および画像データの送信制御を行うようにしてもよい。
【００６０】
また、各住宅内には、カメラ付携帯電話機１０４に代わってディジタルカメラを設置し、これによって撮影した室内の画像を住宅内に設置されたパーソナルコンピュータにより、携帯電話機や有線網を通じて電子メール送信する。あるいは上記ディジタルカメラの画像データを主制御装置２００に伝送して表示部２０１に表示したり、管理人室に設置されたパーソナルコンピュータにより、携帯電話機や有線網を通じて電子メール送信するようにしてもよい。
【００６１】
また、戸別装置１１〜１ｎは専用の回線により主制御装置２００に収容されるものとしたが、これに代わって例えば、戸別装置１１〜１ｎおよび主制御装置２００に有線網に収容される電話機や、携帯電話機などの無線接続を行う無線通信機を備え、電話網を通じて戸別装置１１〜１ｎと主制御装置２００とが通信するようにしてもよい。
【００６２】
また、有線あるいは無線のＬＡＮで収容するようにしてもよい。また電話網に限らず、インターネットなどの通信網を利用して、戸別装置１１〜１ｎと主制御装置２００とを接続するようにしてもよい。
さらに、上記実施の形態では、住人異常の発生や不審者侵入の発生を管理人室で報知するようにしたが、監視対象となる住宅外であれば、通路やロビーなどの共用スペースであってもよい。
【００６３】
また、住宅内を撮影した画像の送信先は、住人が所持するカメラ付携帯電話機１０５や、管理人が所持するカメラ付携帯電話機２０４に限らず、所定のメールアドレスに送信することで、例えば住人が勤務するパーソナルコンピュータ等でも閲覧可能にすることができる。
【００６４】
また伝送する画像は、静止画像に限らず、動画像をリアルタイムで伝送するようにしてもよい。
その他、この発明の要旨を逸脱しない範囲で種々の変形を施しても同様に実施可能であることはいうまでもない。
【００６５】
【発明の効果】
以上述べたように、この発明では、在宅の設定がなされ、かつ所定時間内に住宅内で何らの動きのあるものを検出しない場合に、住人の異常が発生したものとして報知を行い、また不在宅の設定がなされ、かつ住宅内で何らかの動きのあるものを検出した場合に、通信手段を制御して撮影手段によって得られた画像データを所定の通信相手に送信するようにしている。
【００６６】
したがって、この発明によれば、不在宅の設定がなされ、かつ住宅内で何らかの動きのあるものを検出したような不審者が侵入の可能性がある場合に、住人や管理人が所持する画像再生可能な機器に住宅内の画像を送信することができるので、住人や管理人が不審者の侵入の真否を確認することが可能な住宅監視システムを提供できる。
【００６７】
また、この発明では、在宅の設定がなされ、かつ所定時間内に住宅内で何らの動きのあるものを検出しない場合に、住人の異常が発生したものとして報知を行い、また不在宅の設定がなされ、かつ住宅内で何らかの動きのあるものを検出した場合に、撮影手段付きの移動無線端末装置を制御して撮影手段によって得られた画像データを所定の通信相手に送信するようにしている。
【００６８】
したがって、この発明によれば、不在宅の設定がなされ、かつ住宅内で何らかの動きのあるものを検出したような不審者が侵入の可能性がある場合に、住人や管理人が所持する画像再生可能な機器に住宅内の画像を送信することができるので、住人や管理人が不審者の侵入の真否を確認することが可能な住宅監視システムを提供できる。
【図面の簡単な説明】
【図１】この発明に係わる住宅監視システムの一実施の形態の構成を示す回路ブロック図。
【図２】図１に示した住宅監視システムで用いられるカメラ付携帯電話機の構成を示す回路ブロック図。
【図３】図１に示した住宅監視システムのセンサ制御部による安否判定処理を説明するためのフローチャート。
【符号の説明】
１１〜１ｎ…戸別装置、１０１…移動体センサ、１０２…在／不在スイッチ、１０３…センサ制御部、１０３ａ…インターフェイス、１０４…カメラ付携帯電話機、１０５…カメラ付携帯電話機、２００…主制御装置、２０１…表示部、２０２…警報部、２０３…制御部、２０４…カメラ付携帯電話機、３００…制御部、４０１…アンテナ、４０２…アンテナ共用器、４０２ａ…受信用フィルタ、４０２ｂ…送信用フィルタ、４０３…受信部（ＲＸ）、４０４…周波数シンセサイザ（ＳＹＮ）、４０５…送信部（ＴＸ）、４０６…ＣＤＭＡ信号処理部、４０７…音声符号処理部、４０８…ＰＣＭ符号処理部、４０９…増幅器、４１０…スピーカ、４１１…マイクロホン（Ｍ）、４１２…増幅器、４１３…増幅器、４１４…スピーカ、４２０…着信報知部、４２１…発音体、４２２…発光体、４２３…振動体、４３０…カメラ、４４０…記憶部、４５０…画像処理部、４６０…ドライバ、４７０…ユーザインターフェイス部、４７１…表示部、４７２…キー入力部、４８０…外部インターフェイス、４９０…バッテリ、ＡＭ…集合住宅、ＢＳ…基地局。
【図１】
2005011221.tif 000003
【図２】
2005011221.tif 000004
【図３】
2005011221.tif 000005